(57)【要約】【課題】拭取りにともなうカテーテル表面のコーティングの剥がれや傷つきを抑制できるカテーテル拭取りデバイスを提供する。【解決手段】カテーテル拭取りデバイス１００は、スポンジ１１０と、スポンジを支持する支持体１２０と、を有する。スポンジには、カテーテル１０を挿通自在な挿通部１１１が形成されており、支持体は、挿通部においてカテーテルを軸方向に挿通可能な挿通方向Ｄ１のまわりで、スポンジを支持している。【選択図】図１
2018126270.tif 000002
【特許請求の範囲】
【請求項１】
カテーテルを挿通自在な挿通部が形成されたスポンジと、
前記挿通部において前記カテーテルを軸方向に挿通可能な挿通方向のまわりで、前記スポンジを支持する支持体と、を有する、カテーテル拭取りデバイス。
【請求項２】
前記挿通部の開いている箇所に隣接して弁体が設けられている、請求項１に記載のカテーテル拭取りデバイス。
【請求項３】
前記支持体は、前記挿通方向のまわりの一部に円弧状に設けられており、前記挿通部は、前記挿通方向のまわりのうち前記支持体のない側へと前記挿通方向と直交する方向に開いている、請求項１または請求項２に記載のカテーテル拭取りデバイス。
【請求項４】
前記支持体から突出したハンドルを有する、請求項１〜請求項３のうちのいずれか１つに記載のカテーテル拭取りデバイス。
【請求項５】
前記カテーテルを少なくとも軸方向に進退動させるカテーテルロボットに対し、前記カテーテルの基端部が接続される接続部よりも先端側に一体に設けられている、請求項１〜請求項３のうちのいずれか１つに記載のカテーテル拭取りデバイス。
【請求項６】
Ｙコネクタに対し、サムホイールの基端側に前記挿通部を連通させて一体に設けられている、請求項１〜請求項３のうちのいずれか１つに記載のカテーテル拭取りデバイス。
【請求項７】
前記支持体の形成材料がシリコンゴムである、請求項１〜請求項６のうちのいずれか１つに記載のカテーテル拭取りデバイス。
【発明の詳細な説明】
【技術分野】
【０００１】
本発明は、カテーテル拭取りデバイスに関する。
【背景技術】
【０００２】
従来、カテーテルを血管内に挿入して診断等を行う手技が行われている。手技後、血管内から取り出されるカテーテルには血液が付着しており、再度血管内に挿入されるまでそのまま空気中に放置されると、血栓が形成される。
【０００３】
血栓の付着したカテーテルを血管内に挿入すると、血栓が血管内に脱落して血管の閉塞を引き起こす虞があることから、カテーテルに付着した血液を除去することの重要性が知られており、臨床現場では、カテーテルに付着した血液の除去作業が順守されている。
【０００４】
カテーテルに付着した血液を除去する方法としては、例えば、バットに満たした生理食塩水にカテーテルを浸漬して洗浄する方法や、生理食塩水を含ませたガーゼによって拭取る方法がある。
【０００５】
バルーンカテーテルやマイクロカテーテル等は、バット内の生理食塩水にカテーテル全体が浸けられて洗浄されるが、ＩＶＵＳ（血管内超音波診断）用のカテーテルや、ＯＣＴ／ＯＦＤＩ（光干渉断層診断）用のカテーテル等の画像診断用カテーテルは、その基端部にモータドライブユニット（ＭＤＵ）が接続されており、バット内にカテーテル全体を入れることができないため、拭取りによって血液の除去が行われる。
【０００６】
また、近年実用化が進められているカテーテルロボットが用いられる場合にも、カテーテルの基端部にカテーテルロボットが接続されるため、バルーンカテーテル等であっても、カテーテル全体をバット内に浸漬して洗浄することは難しく、拭取りが血液除去のための有用な手段となり得ると考えられる。
【０００７】
拭取りの際、ガーゼはカテーテルの表面に軽く当てられることが好ましく、このようにすれば、例えば特許文献１のような親水性コーティング等がカテーテル表面に施されていても、コーティングが剥がれ難い。
【先行技術文献】
【特許文献】
【０００８】
【特許文献１】特開平６−４１３１０号公報
【発明の概要】
【発明が解決しようとする課題】
【０００９】
しかしながら、拭取りは直接手作業によって行われ、作業者によって力の加減が異なるため、実際には強く拭取られることがあり、その結果、コーティングが剥がれたりカテーテル表面が傷ついたりする虞がある。
【００１０】
そこで、本発明は、拭取りにともなうカテーテル表面のコーティングの剥がれや傷つきを抑制できるカテーテル拭取りデバイスを提供することを目的とする。
【課題を解決するための手段】
【００１１】
上記目的を達成するための本発明のカテーテル拭取りデバイスは、スポンジと、スポンジを支持する支持体と、を有する。スポンジには、カテーテルを挿通自在な挿通部が形成されており、支持体は、挿通部においてカテーテルを軸方向に挿通可能な挿通方向のまわりで、スポンジを支持している。
【発明の効果】
【００１２】
上記構成を有するカテーテル拭取りデバイスによれば、拭取りの際、スポンジの挿通部に挿通されるカテーテルに対し、スポンジから一定以下の力が作用し、作業者の力加減によらず拭取りが行われる。このため、意図しない強い拭取りが防止され、カテーテル表面のコーティングの剥がれや傷つきを抑制できる。
【図面の簡単な説明】
【００１３】
【図１】第１実施形態のカテーテル拭取りデバイスをカテーテルとともに示す図である。
【図２】第１実施形態のカテーテル拭取りデバイスの使用状態を示す図である。
【図３】第２実施形態のカテーテル拭取りデバイスをカテーテルロボットとともに示す図である。
【図４】Ｙコネクタと一体に設けられた第３実施形態のカテーテル拭取りデバイスを示す図である。
【図５】変形例のカテーテル拭取りデバイスを示す図である。
【発明を実施するための形態】
【００１４】
以下、添付した図面を参照しながら、本発明の実施形態を説明する。なお、図面の寸法比率は、説明の都合上誇張されており、実際の比率とは異なる。
【００１５】
＜第１実施形態＞
図１に示すように、第１実施形態のカテーテル拭取りデバイス１００は、スポンジ１１０、支持体１２０、弁体１３０、１３１、およびハンドル１４０を有する。カテーテル拭取りデバイス１００は、カテーテル１０の表面に付着した血液を拭取るのに使用される。
【００１６】
スポンジ１１０は、例えばポリウレタンによって形成されるが、血液の吸収性が良好であればよく、ポリウレタン以外の他の材料によって形成されていてもよい。スポンジ１１０には、カテーテル１０を挿通自在な挿通部１１１が形成されている。挿通部１１１はスリット形状を有する。
【００１７】
支持体１２０は、挿通部１１１においてカテーテル１０を軸方向に挿通可能な挿通方向Ｄ１のまわりで、スポンジ１１０を支持している。スポンジ１１０と支持体１２０とは例えば接着剤によって固定されている。
【００１８】
支持体１２０は、挿通方向Ｄ１のまわりの一部に円弧状に設けられており、挿通部１１１は、挿通方向Ｄ１のまわりのうち支持体１２０のない側へと挿通方向Ｄ１と直交する方向Ｄ２に開いている。カテーテル１０は、挿通部１１１に対し、方向Ｄ２の開いている側から差し込むことができる。
【００１９】
支持体１２０の形成材料は、好ましくはシリコンゴムであるが、これに限定されず、他のゴムであってもよいし、ゴム以外の樹脂であってもよい。
【００２０】
弁体１３０は、挿通部１１１のうち方向Ｄ２の開いている箇所に隣接して設けられており、そこに連通するようにスリット状の隙間を形成している。
【００２１】
一方、弁体１３１は、方向Ｄ１における挿通部１１１の開いている箇所に隣接して設けられており、そこに連通するようにスリット状の隙間が形成されている。
【００２２】
弁体１３０および弁体１３１は、柔軟性を有するとともに適度な弾性を有しており、それらの形成材料は、好ましくはシリコンゴムであるが、これに限定されない。
【００２３】
ハンドル１４０は、支持体１２０と一体に設けられており、支持体１２０から突出している。ハンドル１４０の形状は、使用者が手で持ち易ければよく、特に限定されない。
【００２４】
次にカテーテル拭取りデバイス１００の使用について述べる。
【００２５】
図２に示すように、カテーテル拭取りデバイス１００は、カテーテル１０を挿通部１１１に差し込んで用いられる。スポンジ１１０には事前に生理食塩水が含ませてある。
【００２６】
カテーテル１０は、弁体１３０の間の隙間を通して差し込まれる。その際、弁体１３０は、柔軟に変形しつつカテーテル１０の表面に対して一定以下の力で撫でるように当たり、カテーテル１０に付着している血液を拭い去る。
【００２７】
カテーテル１０の差し込まれた挿通部１１１は、カテーテル１０の表面形状に沿うように柔軟に変形している。またこのとき、カテーテル１０の表面には、スポンジ１１０から一定以下の力が加わっている。また、弁体１３１も、カテーテル１０の表面形状に沿うように柔軟に変形しており、一定以下の力でカテーテル１０の表面に当たっている。
【００２８】
拭取りを行う作業者は、その状態でハンドル１４０を持ち、カテーテル拭取りデバイス１００とカテーテル１０とを軸方向に相対移動させたり、軸方向まわりに相対的に回転させたりする。これにともなって、カテーテル１０に付着している血液がスポンジ１１０に吸収されつつ拭取られる。
【００２９】
また、作業者がカテーテル１０とカテーテル拭取りデバイス１００とを軸方向に相対的に動かすと、これにともなって弁体１３１がカテーテル１０の表面を撫でるように相対移動し、カテーテル１０の表面から血液を拭い去る。
【００３０】
カテーテル１０は、例えば、ＩＶＵＳ（血管内超音波診断）用のカテーテルや、ＯＣＴ／ＯＦＤＩ（光干渉断層診断）用のカテーテル等の画像診断用カテーテルであり、血管内の画像診断後、血管から抜去した際に付着している血液がカテーテル拭取りデバイス１００によって拭取られる。カテーテル１０は、例えば親水性コーティング等のコーティングを表面に有する。
【００３１】
次に本実施形態の作用効果を述べる。
【００３２】
本実施形態と異なり、作業者がガーゼをカテーテル１０の表面に押し当てて直接手作業によって拭取りを行う場合、作業者の力加減によっては、強く拭取られることがあり、その結果、カテーテル１０の表面のコーティングが剥がれたり、カテーテル１０の表面が傷ついたりする虞がある。
【００３３】
一方、本実施形態のカテーテル拭取りデバイス１００によれば、拭取りの際、カテーテル１０に対し、スポンジ１１０および弁体１３０、１３１から一定以下の力が作用し、作業者の力加減によらず拭取りが行われる。このため、意図しない強い拭取りが防止され、カテーテル１０の表面からコーティングが剥がれたり、カテーテル１０の表面が傷ついたりするのを抑制できる。
【００３４】
本実施形態では、弁体１３０、１３１が、カテーテル１０の表面を撫でるようにして血液を拭い去るため、特に効果的に血液を除去できる。
【００３５】
本実施形態では、挿通部１１１が方向Ｄ２に開いているが、このように開いておらず閉じていると、カテーテル１０の所望の箇所を拭こうとした際、カテーテル１０の一方の端部を挿通方向Ｄ１から挿通部１１１に入れ、その一端から拭取りを行う所望の箇所まで、カテーテル１０とカテーテル拭取りデバイス１００とを軸方向に相対移動させていかなければならず、手間がかかる。
【００３６】
それに対し、本実施形態では、挿通部１１１が方向Ｄ２に開いているため、その開いた側からカテーテル１０の拭取り箇所を入れて挿通部１１１にセットすれば、前述のように端部から拭取り箇所まで軸方向にわざわざ移動させていく手間が省け、カテーテル１０の所望の箇所をすぐに拭取ることができる。また、カテーテル１０を挿通部１１１から取り外す際にも、カテーテル１０の一端までカテーテル拭取りデバイス１００を相対移動させなくて済むため、取り外しが簡単である。
【００３７】
また、本実施形態では、ハンドル１４０が備えられており、カテーテル拭取りデバイス１００を楽に掴んで動かせるため、作業負担を軽減できる。また、ハンドル１４０が備えられていることで、拭取りの際に作業者がスポンジ１１０や支持体１２０に手を触れなくて済むため、挿通部１１１にセットされているカテーテル１０に作業者の手から不用意に強い力が加わり難く、強い拭取りがより確実に防止される。
【００３８】
支持体１２０の形成材料がシリコンゴムであれば、支持体１２０が適度な柔軟性と弾性を有する。このため、カテーテル１０が挿通部１１１に差し込まれる際、支持体１２０がスポンジ１１０とともに柔軟に変形し、カテーテル１０の表面にコーティングの剥がれや傷つきの要因となる強い摩擦が作用するのが防止され、また、弾性力によってカテーテル１０が挿通部１１１にしっかり保持される。
【００３９】
＜第２実施形態＞
図３に示すように、第２実施形態のカテーテル拭取りデバイス２００は、カテーテルロボット２０と一体に設けられている。
【００４０】
カテーテルロボット２０は、術者によって遠隔操作され、カテーテル１０を軸方向に進退動させる。また、カテーテルロボット２０は、カテーテル１０を軸方向のまわりに回転させることもできる。本実施形態において、カテーテル１０は、例えばバルーンカテーテルである。
【００４１】
カテーテルロボット２０は、カテーテル１０の基端部が接続される接続部２１を有しており、これをモータやギアによって進退動させることによって、カテーテル１０の全体を軸方向に進退動させる。血管内でカテーテル１０を進める際には、接続部２１が前進し、血管内からカテーテル１０を抜去する際には、接続部２１が後退する。また、接続部２１に、カテーテル１０を軸方向のまわりに回転させる機構が備えられていてもよい。
【００４２】
カテーテル拭取りデバイス２００は、接続部２１よりも先端側にこれと同軸的に配置されている。
【００４３】
カテーテル拭取りデバイス２００は、第１実施形態のカテーテル拭取りデバイス１００からハンドル１４０が省略されている点で異なるが、スポンジ１１０、挿通部１１１、支持体１２０、および弁体１３０、１３１は、第１実施形態と同様であり、それらについてのここでの重複する説明は省略する。カテーテル拭取りデバイス２００は、支持体１２０でカテーテルロボット２０と一体に接続されている。
【００４４】
スポンジ１１０の挿通部１１１には、カテーテル１０が通してあり、血管内からカテーテル１０が抜去される際に接続部２１が後退すると、これにともなって、カテーテル１０が軸方向基端側に移動しつつ挿通部１１１を通過する。その結果、カテーテル１０の表面に付着していた血液がスポンジ１１０に拭取られるとともに、弁体１３１によって拭い去られる。
【００４５】
このように、本実施形態によれば、血管内からのカテーテル１０の抜去とともに血液が自動的に拭取られ、カテーテル１０の抜去と拭取りとを別々に行わなくて済むため、作業効率が良い。
【００４６】
＜第３実施形態＞
図４に示すように、第３実施形態のカテーテル拭取りデバイス３００は、Ｙコネクタ３０に対しサムホイール３１の基端側に一体に設けられており、スポンジ３１０および支持体３２０を有する。
【００４７】
スポンジ３１０および支持体３２０は、第１実施形態のスポンジ１１０および支持体１２０のような半割れ形状ではなく、挿通方向Ｄ１のまわりの全周に形成されている点でそれらと異なるが、形状以外の構成および機能はそれらと実質的に同じである。
【００４８】
スポンジ３１０に形成されている挿通部３１１は、貫通孔であり、サムホイール３１側に開いた開口部３１２でサムホイール３１と連通している。サムホイール３１は、Ｙコネクタ３０において止血機能を備えた基端側開口部を構成しており、内部に止血のための弁体を備えているため、開口部３１２（挿通部の開いている箇所）は弁体と隣接している。
【００４９】
Ｙコネクタ３０は、先端のローテータ３２を介して、カテーテル１０とは別の例えばガイディングカテーテル等の親カテーテルに接続し、カテーテル１０をそこに案内する。サムホイール３１、ローテータ３２、およびそれらの間のメインブランチ３３は、互いに連通しており、また、メインブランチ３３にはそこから分岐して連通したサイドポート３４が設けられている。
【００５０】
Ｙコネクタ３０を通じてカテーテル１０が親カテーテルから抜去されると、カテーテル１０には血液が付着しているが、その血液は、カテーテル１０が抜去される過程で、サムホイール３１内の弁体で拭い取られるとともに、スポンジ３１０に吸収されつつ拭き取られる。
【００５１】
このように本実施形態によっても、第２実施形態と同様、カテーテル１０の抜去とともに血液が拭取られるため、カテーテル１０の抜去と拭取りとを別々に行わなくて済み、作業効率が良い。
【００５２】
本発明は、上述した実施形態に限定されるものではなく、特許請求の範囲内で種々改変できる。
【００５３】
例えば、本発明は、上記第１実施形態および第２実施形態から弁体１３０、１３１のいずれか一方またはそれらの両方を取り除いた形態を含む。
【００５４】
また、スポンジおよび支持体の形状も、上記実施形態に限定されない。例えば図５に示す変形例のカテーテル拭取りデバイス１００Ａのように、挿通方向Ｄ１のまわりの全周に形成されたスポンジ１１０Ａおよび支持体１２０Ａも、本発明に含まれる。また、これに限定されず、スポンジおよび支持体が、挿通方向Ｄ１のまわりに１８０°よりも大きく３６０°未満の範囲で形成されていてもよい。
【００５５】
また、挿通部の形状も、上記実施形態の挿通部１１１や変形例の挿通部１１１Ａのようにスリット形状に限定されず、例えば、断面Ｕ字状の比較的幅広な溝や、円形形状の孔であってもよい。
【００５６】
また、本発明は、血液の拭取りだけでなく、血液以外の体液の拭取りにも応用可能であり、血管以外の生体管腔に挿入されるカテーテルに付着した体液を拭取るものであってもよい。
【符号の説明】
【００５７】
１０    カテーテル、
２０    カテーテルロボット、
２１    接続部、
３０    Ｙコネクタ、
３１    サムホイール、
３２    ローテータ、
３３    メインブランチ、
３４    サイドポート、
１００、１００Ａ、２００、３００    カテーテル拭取りデバイス、
１１０、１１０Ａ、３１０    スポンジ、
１１１、１１１Ａ、３１１    挿通部、
１２０、１２０Ａ、３２０    支持体、
１３０、１３１    弁体、
１４０    ハンドル、
Ｄ１    挿通方向、
Ｄ２    挿通方向と直交する方向。
【図１】
2018126270.tif 000003
【図２】
2018126270.tif 000004
【図３】
2018126270.tif 000005
【図４】
2018126270.tif 000006
【図５】
2018126270.tif 000007